(57)【要約】【課題】遅延を減少させ且つ電力消費を減少させた復調器を提供する。【解決手段】後の検索及び蓄積のために、受信した記号をバッファ内に格納する必要性なしに、記号を結合させるためのワイヤレス通信ネットワークにおける復調器を提供する。本復調器は、各々が物理的チャンネル及び伝播経路と関連している受信した記号を蓄積することが可能な複数個のアキュムレータを有している。本復調器は、受信した記号を複数個のアキュムレータから選択した適宜のアキュムレータへ経路付けするためのマルチプレクサを有している。異なる伝播経路から受信した記号は、各々、受信した記号の物理的チャンネル及び受信した記号の伝播経路と関連するインジケータの値に基づいて適宜のアキュムレータへ経路付けされ且つ蓄積される。【選択図】　　　図４
2004007636.tif 000002
【特許請求の範囲】
【請求項１】
各々が物理的チャンネル及び伝播経路と関連している複数個の記号を復調する復調器において、
各々が受取った記号を蓄積することが可能な複数個のアキュムレータ、
前記複数個の記号の各々を前記複数個のアキュムレータから選択した適宜のアキュムレータへ経路付けするマルチプレクサ、
を有しており、前記経路付けが前記受取った記号の物理的チャンネル及び前記受取った記号の伝播経路と関連するインジケータの値に基づいていることを特徴とする復調器。
【請求項２】
請求項１において、更に、前記受取った記号の伝播経路と関連するインジケータ内の値を供給するために複数個のインジケータが前記マルチプレクサへ結合しており、前記インジケータは前記受取った記号の伝播経路と関連していることを特徴とする復調器。
【請求項３】
請求項１において、前記マルチプレクサが前記インジケータの値及び前記物理的チャンネルを識別する物理的チャンネルＩＤを受取る形態とされていることを特徴とする復調器。
【請求項４】
請求項１において、前記記号が副記号を有していることを特徴とする復調器。
【請求項５】
請求項１において、本復調器が符号分割多元接続（ＣＤＭＡ）復調器であることを特徴とする復調器。
【請求項６】
請求項１において、更に、各々が各チップ周期をインクリメントさせる形態とされている複数個のカウンタを有していることを特徴とする復調器。
【請求項７】
請求項６において、前記受取った記号が前記第一チャンネルの第一伝播経路と関連している場合に前記カウンタのうちの少なくとも１つがリセットされることを特徴とする復調器。
【請求項８】
請求項６において、更に、
前記受取った記号の経路遅延を決定する決定器、
前記決定した経路遅延と等しい値を有する前記複数個のカウンタのうちの１つを選択するセレクタ、
前記受取った記号の伝播経路と関連するインジケータ内に前記選択したカウンタのタグ識別子をローディングするローダー、
を有していることを特徴とする復調器。
【請求項９】
請求項１において、本復調器が集積回路チップ内にあることを特徴とする復調器。
【請求項１０】
ワイヤレス通信ネットワークにおいて記号を復調する方法において、
各々が物理的チャンネル及び伝播経路と関連している複数個の記号を受取り、
前記受取った記号の物理的チャンネル及び前記受取った記号の伝播経路と関連するインジケータの値に基づいて前記複数個の記号のうちの各々を適宜のアキュムレータへ選択的に経路付けし、
前記経路付けした記号の各々を適宜のアキュムレータへ蓄積させる、
上記各ステップを有していることを特徴とする方法。
【請求項１１】
請求項１０において、更に、前記選択的に経路付けするステップの前に、
前記受取った記号の伝播経路と関連するインジケータ内に値をローディングする、
上記ステップを有していることを特徴とする方法。
【請求項１２】
請求項１１において、前記インジケータ内に値をローディングするステップが、更に、
前記受取った記号の経路遅延を決定し、
前記決定した経路遅延に等しい値を有するカウンタを選択し、
前記ローディングするステップが前記受取った記号の伝播経路と関連するインジケータ内に前記選択したカウンタのタグ識別子をロードする、
ことを特徴とする方法。
【請求項１３】
請求項１０において、前記ワイヤレス通信ネットワークがＣＤＭＡワイヤレス通信ネットワーク又はＷＣＤＭＡワイヤレス通信ネットワークであることを特徴とする方法。
【請求項１４】
電子的ワイヤレス通信装置内の集積回路チップにおいて、
各々が物理的チャンネル及び伝播経路と関連している複数個の記号を受取る受信器、
各々が前記複数個の記号のうちの少なくとも１つを蓄積することが可能な複数個のアキュムレータ、
前記複数個の記号の各々を前記複数個のアキュムレータから選択した適宜のアキュムレータへ経路付けする回路、
を有しており、前記経路付けが前記受取った記号の物理的チャンネル及び前記受取った記号の伝播経路と関連するインジケータの値に基づいていることを特徴とする集積回路チップ。
【請求項１５】
請求項１４において、前記回路がマルチプレクサを有しており、前記マルチプレクサが前記受取った記号の伝播経路と関連するインジケータ内の値及び前記物理的チャンネルの物理的チャンネルＩＤを受取り且つ前記受取った記号のうちの１つを前記適宜のアキュムレータへ瞬時に経路付けさせる形態とされていることを特徴とする集積回路チップ。
【請求項１６】
請求項１５において、更に、複数個のインジケータを有しており、前記インジケータの各々が伝播経路と関連していることを特徴とする集積回路チップ。
【請求項１７】
請求項１６において、更に、
前記受取った記号の経路遅延を決定する決定器、
前記決定した経路遅延に等しい値を有するカウンタを選択するセレクタ、
前記受取った記号の伝播経路と関連するインジケータ内の前記選択したカウンタのタグ識別子をローディングするローダー、
を有していることを特徴とする集積回路チップ。
【請求項１８】
請求項１４において、前記ワイヤレス通信ネットワークが符号分割多元接続（ＣＤＭＡ）通信ネットワークであることを特徴とする集積回路チップ。
【請求項１９】
ワイヤレス通信システムにおいて記号を復調する方法において、
物理的チャンネル及び伝播経路と関連している少なくとも１個の記号を受取り、
前記受取った記号の伝播経路と関連するインジケータ内に値をローディングし、
前記受取った記号の伝播経路によって識別されたインジケータの値及び前記受取った記号の物理的チャンネルに基づいて複数個のアキュムレータから選択したアキュムレータへ前記受取った記号を経路付けし、
前記受取った記号をアキュムレータへ蓄積する、
上記各ステップを有することを特徴とする方法。
【請求項２０】
請求項１９において、前記インジケータ内に値をローディングするステップが、
前記受取った記号の経路遅延を決定し、
前記決定した経路遅延に等しい値を有するカウンタを選択し、
前記ローディングするステップが前記受取った記号の伝播経路と関連するインジケータ内に前記選択したカウンタのタグ識別子をロードすることを特徴とする方法。
【請求項２１】
請求項１９において、更に、複数個のインジケータから前記インジケータを選択し、前記選択したインジケータが前記受取った記号の伝播経路によって識別されることを特徴とする方法。
【請求項２２】
請求項１９において、更に、各チップ周期において複数個のカウンタの各々をインクリメントさせることを特徴とする方法。
【請求項２３】
請求項１９において、前記ローディングステップが、
前記受取った記号が第一伝播経路及び第一物理的チャンネルと関連することが決定されると、前記受取った記号の伝播経路によって識別されるインジケータの値をインクリメントさせる、
ことを特徴とする方法。
【請求項２４】
請求項２３において、更に、前記ローディングステップの後に、
前記受取った記号が前記第一伝播経路及び前記第一物理的チャンネルと関連している場合に前記インクリメントしたインジケータの値によって識別されるカウンタをリセットする、
上記ステップを有していることを特徴とする方法。
【請求項２５】
記号結合を実施するシステムにおいて、
各受取った記号の伝播経路及び物理的チャンネルを決定する論理回路、
各時間周期において自動的にインクリメントする形態とされており、前記論理回路へ結合されており、前記受取った記号が第一物理的チャンネルの第一伝播経路から受取った新たな記号であることが決定されるとそのうちの選択した１つがリセットされる複数個のカウンタ、
前記カウンタへ結合されており、各々が前記カウンタのうちの１つの識別タグで選択的にロードされる形態とされており、各々が１つの伝播経路と関連している複数個のインジケータ、
前記論理回路からの記号の伝播経路を受取り且つ前記論理回路から受取った伝播経路と関連するインジケータ内に包含される値を出力として供給するインジケータセレクタ、
前記記号を蓄積する形態とされている複数個のアキュムレータ、
前記受取った記号の物理的チャンネルを受取るために前記論理回路へ結合されており且つ前記受取った記号の伝播経路と関連するインジケータの値を受取るために前記インジケータセレクタへ結合されており、前記アキュムレータへ結合されており且つ受取った物理的チャンネル及び前記インジケータの受取った値に基づいて前記アキュムレータのうちの１つへ前記記号を経路付けさせる形態とされているマルチプレクサ、
を有していることを特徴とするシステム。
【発明の詳細な説明】
【０００１】
【発明の属する技術分野】
本発明は、復調器に関するものであって、更に詳細には、記号結合用バッファなしデキュー処理を実施するための復調器に関するものである。
【０００２】
【従来の技術】
ワイヤレス通信は人々の日常生活において基本的な必需品となっている。「移動中」に人々が慣れている全ての通信特徴へアクセスを有していることが所望されている。音声通信及びデータ通信は、許容可能な品質を維持しながら、コスト的に効率的な態様でポータブルな装置を介して人々に使用可能なものであることが必要である。
【０００３】
符号分割多元接続（ＣＤＭＡ）ワイヤレス通信は、世界中で使用されている通信基準である。ＣＤＭＡワイヤレス通信システムにおいては、ユーザ信号は固有のコード（符号）を使用することにより広い周波数帯域でスプレッド即ち拡散され且つ通常の周波数帯域において送信される。受信器が、ＣＤＭＡ信号及び固有のコードからデスプレッド（ｄｅｓｐｒｅａｄ）即ち逆拡散処理によって所望の信号を検知する。
【０００４】
ＣＤＭＡワイヤレス通信システムにおける受信器は、しばしば、１個又はそれ以上の基地ステーションから複数個の信号を検知し且つこれらの信号をモーバイル（移動）ステーションにおいて復調する。図１に示したように、基地ステーション１２からの受信信号の伝播は地形（１４及び１６）によって影響され且つ複数個の経路にわたって発生する場合がある。これらの同一の場所から発生した送信信号から受取られるこれらの複数経路の信号はマルチパス伝播信号と呼称される。
【０００５】
このマルチパス伝播現象は、例えば散乱、屈折、反射等の種々の地形的要因に起因するものである。各マルチパス伝播信号は受信器（移動ステーション１０）に到達するのに異なる量の時間を必要とする。例えば、送信器の「視野」から直接的に受取られる信号１８（１）は、反射された伝播信号１８（２）より前に受信される。それにも拘わらず、マルチパス伝播信号１８（１）及び１８（２）の各々は、マルチパス伝播信号を一体的に結合させてより強い信号を形成することによりより良い信号品質を与えるために受信器によって使用される。受信されたマルチパス伝播信号は互いに時間的にシフトされているので、これらの信号を整合させ且つ信号結合（合成）を可能とするためにデスキュー（ｄｅｓｋｅｗ）処理が必要である。
【０００６】
図２はＣＤＭＡワイヤレス通信システムにおける従来の復調器５０を示している。信号が異なる物理的チャンネル（２２，２４，２６）上で受信される。然しながら、各チャンネルからの信号は異なる伝播経路（例えば、経路＃１（２０）、経路＃２（３０）、経路＃３（４０））を介して伝播する。受信信号チャンネル２２，２４，２６の各々における記号２８，３８，４８はデロテート（ｄｅｒｏｔａｔｅ）即ち逆回転され且つバッファ／メモリ５４内に配置される。従って、各物理的チャンネルから及び各伝播経路からの記号はバッファ５４内に格納される。第一チャンネル２２からの記号２８は伝播経路２０から受取られ且つ位置５６においてバッファ５４内に格納される。伝播経路３０から受取った同一の第一チャンネル２２からの記号２８は位置５８においてバッファ５４内に格納される。第一チャンネル２２からの記号２８は伝播経路４０から受取られ且つ位置６０においてバッファ５４内に格納される。３つの経路のみが示されているが、レシーバ即ち受信器は物理的チャンネル当たりより多くの又はより少ない経路を取扱うことが可能であることを理解すべきである。
【０００７】
同一の動作が全ての伝播経路、即ち伝播経路２０，３０，４０に対して第二チャンネル２４について実施され、第二チャンネル２４に対する記号３８が位置６２，６４，６６においてバッファ５４内に格納される。同一の操作が、伝播経路の全て、即ち伝播経路２０，３０，４０に対して残りのチャンネル、即ちチャンネル（Ｃ）２６に対して実施され、そのチャンネル（Ｃ）２６に対する記号４８は異なる位置においてバッファ５４内に格納される。従って、各伝播経路から各物理的チャンネル上で受取られた各記号は別個のバッファ位置に格納される。
【０００８】
このバッファ処理は、復調器５０が記号（２８，３８，４８）がその記号を処理する前に各経路から受取られることを待機することを可能とする。伝播経路の最後の記号がバッファ５４内に整合されると、デスキュー処理が自動的に実施される。次いで、異なる伝播経路から受取った物理的チャンネルの記号が加算器７４を使用して加算され且つその物理的チャンネルと関連するアキュムレータ（７６，７８，８０）のうちの１つへ出力される。
【０００９】
これらの記号を結合する前に受取られるべき物理的チャンネルの全ての伝播経路からの記号を待機するプロセスは、復調器出力において遅延を発生させる。この記号結合を実施するのに必要な遅延は受信信号の少なくとも最大経路遅延である。更に、記号結合の前にバッファ内に受信した記号を格納することは復調器の電力消費を増加させる。前述したことに鑑み、遅延を減少させ且つ復調器の電力消費を減少させる復調器に対する必要性が存在している。
【００１０】
【発明が解決しようとする課題】
本発明は、以上の点に鑑みなされたものであって、上述した如き従来技術の欠点を解消し、遅延を減少させ且つ電力消費を減少させた復調器及び復調方法を提供することを目的とする。
【００１１】
【課題を解決するための手段】
本発明は、後の検索及び蓄積のために受信した記号をバッファ内に格納する必要性なしに記号を結合するためのワイヤレス通信ネットワークにおける復調器を提供している。本発明に基づく復調器は、受信した記号を蓄積することが可能な複数個のアキュムレータ、及び受信した記号の物理的チャンネル及び受信した記号の伝播経路に関連するインジケータの値に基づいて該アキュムレータのうちの１つへ各受信した記号をルーチング即ち経路付けするマルチプレクサを有している。
【００１２】
本発明の１実施形態においては、本復調器は、各受信した記号の物理的チャンネル及び伝播経路を決定する論理回路を有している。第一チャンネルの第一伝播経路からの第一記号が受信されると、その受信した記号の伝播経路に関連する第一インジケータがインクリメントされ且つ第一インジケータ内の値に等しいタグ識別子を有するカウンタがリセットされる。受信した記号の物理的チャンネル及び第一インジケータの値によって識別される複数個のアキュムレータのうちの１つへマルチプレクサによって記号の経路付けが行われる。然しながら、第一チャンネルの第一伝播経路からの第一記号ではない記号が受取られる場合には、その記号の経路遅延が決定され且つ複数個のカウンタ内の値と比較される。マッチングカウンタの識別（ＩＤ）タグが受信した記号の伝播経路と関連するインジケータ内にロードされる。次いで、受信した記号が、受信した記号の伝播記号と関連するインジケータの値及び受信した記号の物理的チャンネルによって識別されるアキュムレータへマルチプレクサによって経路付けされる。次いで、その記号はそのアキュムレータへ蓄積される。それにより、各受信した記号は、異なる伝播経路から前に蓄積された受信記号を包含するアキュムレータへすぐに蓄積することが可能である。このことは、本システムが、電力消費を減少することを可能とする。何故ならば、本復調器においてはバッファは使用されていないからである。
【００１３】
【発明の実施の形態】
例示的実施例を特に参照して本発明の種々の新規な点について説明する。然しながら、これらの例示的実施例は本明細書に記載する新規な点の多くの効果的な使用のうちの数例に過ぎないものであることを理解すべきである。
【００１４】
本発明は、後の検索及び蓄積（累算）のために受信した記号をバッファ内に格納することの必要性なしに記号の結合（合成）を可能とさせている。このことは、異なる伝播経路からの前に受信した記号に対して受信した記号をすぐさま蓄積即ち累算することを可能としている。図３Ａ及び３Ｂを参照すると、本発明の例示的実施例に基づく記号結合を実施するための復調器１５０を有するシステム１００のブロック図が示されている。復調器１５０は集積回路チップとして又は集積回路チップの一部として実現することが可能である。この集積回路チップは携帯電話又はその他の電子装置内に包含させることが可能である。本復調器は、一方、全体的に又は一部をソフトウエアを使用して実現することが可能である。
【００１５】
システム１００は異なる物理的チャンネル（例えば、１１２，１１４，１１６）上で空気インターフェースを介して信号を受取る。１つの物理的チャンネルの信号は複数個の伝播経路（例えば、１１０，１２０，１３０）から受取ることが可能である。従って、何個の伝播経路を形成したかに依存して同一の信号が多数回受信される場合がある。該信号は、異なる伝播経路を介して物理的チャンネルの各々から復調器１５０によって受取られる記号（１１８，１２８，１３８）をその中に包含している。各物理的チャンネルはそれ自身の拡散係数を有しており、それはそのチャンネル内の記号（１１８，１２８，１３８）のレートを決定する。例えば、図３に示したように、チャンネル１（１１２）の記号１１８はチャンネル２（１１４）の記号１２８のレートの半分であり且つチャンネルＣ（１１６）の記号１３８のレートの２倍である。
【００１６】
復調器１５０は論理回路１５４、出力マルチプレクサ（ＭＵＸ）１６０、カウンタ１６２、複数個のインジケータ１６４、インジケータセレクタ１６６、複数個のアキュムレータセット１７０を有している。
【００１７】
論理回路１５４は異なる伝播経路（１１０，１２０，１３０）及び異なる物理的チャンネル（１１２，１１４，１１６）から記号（１１８，１２８，１３８）を受取る。論理回路１５４は受取った記号を処理し且つ各受取った記号の物理的チャンネル（ｃ）及び伝播経路（ｍ）を識別すべく機能する。伝播経路（ｍ）は受信した記号の発生順に基づいて決定される。例えば、受信した記号（与えられたチャンネル上）の最も短い伝播経路は第一伝播経路（ｍ＝１）であり且つ同一の受信記号（同一のチャンネル上）の最も長い伝播経路がＭ番目の伝播経路（ｍ＝Ｍ）である。物理的チャンネル（ｃ）は、どのチャンネルを介してその記号が受信されたかに基づいて決定される。例えば、記号１１８は第一チャンネル（ｃ＝１）を介して受信される。
【００１８】
論理回路１５４はカウンタへ結合されており且つ該カウンタのうちの選択した１つを選択的にリセットする形態とされている。論理回路１５４は、又、インジケータ１６４へ結合されており且つ該インジケータのうちの１つを選択的にインクリメントさせる形態とされている。論理回路１５４は、供給された伝播経路（ｍ）と関連するインジケータを選択するために決定した伝播経路（ｍ）をインジケータセレクタ１６６へ供給する（例えば、ｍ＝２である場合には、インジケータ（２）が選択される）。論理回路１５４は、受取った記号のルーチング即ち経路付けを助けるために、決定した物理的チャンネル（ｃ）を出力マルチプレクサ１６０へ供給する形態とされている。
【００１９】
出力マルチプレクサ１６０は論理回路１５４へ結合されており且つ論理回路１５４から記号（１１８，１２８，１３８）を受取り且つ受取った記号の各々を２つの制御入力信号の値に基づいて適宜のアキュムレータ１７０（ｎ）（ｃ）へ経路付けされる形態とされている。第一制御入力信号は論理回路１５４から受取られる物理的チャンネルＩＤ（ｃ）を包含している。第二制御入力信号は、受信した記号の伝播経路（ｍ）と関連するインジケータ１６４のうちのインジケータセレクタ１６６が選択した１つによって供給される値（ｎ）を包含している。
【００２０】
複数個のインジケータ１６４はＭ個のインジケータを包含しており、その場合にインジケータ１６４の各々は１つの伝播経路に対応している。該複数個のインジケータは論理回路１５４へ結合している。第一インジケータは、受信した記号が第一物理的チャンネル（ｃ＝１）の第一伝播経路（ｍ＝１）からであることが論理回路１５４によって決定されると選択的インクリメントされる形態とされている。インジケータ１６４はカウンタ１６２へ結合されており且つ受信した記号の経路遅延に等しい値を包含するカウンタの識別（ＩＤ）タグに等しい値でロードされる形態とされている。第一伝播経路（ｍ＝１）インジケータ（１）と関連するインジケータの値（ｎ）は、第一物理的チャンネル（ｃ＝１）の第一伝播経路（ｍ＝１）からの記号を受取った場合にカウンタのうちのどれがリセットされるかを決定するために使用される。この決定は、インジケータ１６４と論理回路１５４との間のインターフェースを使用する論理回路１５４によって実施することが可能である。一方、この決定は、インジケータ１６４とカウンタ１６２との間のインターフェースによって直接的に実施することが可能である。
【００２１】
複数個のインジケータ１６４からのインジケータの選択は、インジケータ１６４に結合されているインジケータセレクタ１６６によって実施される。インジケータセレクタ１６６は、論理回路１５４からの伝播経路（ｍ）を入力として受取り且つ伝播経路（ｍ）と関連するインジケータ（即ち、インジケータ（ｍ））内に包含されている値（ｎ）を出力する。
【００２２】
復調器１５０は、論理回路１６２及びインジケータ１６４へ結合されているカウンタ１６２を有している。第一伝播経路と関連するインジケータ（インジケータ（１））内の値（ｎ）に等しい識別タグを有するカウンタ１６２のうちの選択した１つは、第一チャンネル１１２の第一伝播経路１１０からの第一記号１１８を受取るとリセットされる。これらのカウンタは、通常、各チップ周期に対して１だけそれらの値を自動的にインクリメントさせる形態とされている。使用されるカウンタの数（Ｎ）は、各物理的チャンネル（ｃ）によって必要とされるか又は使用されるアキュムレータの数（Ｎ）に等しいものとすることが可能である。カウンタ１６２は、以後に詳細に説明するように、インジケータ１６４のうちの選択した１つの値（ｎ）をアップデートし、従って、選択した値（ｎ）及び物理的チャンネル識別（ｃ）を介して、マルチプレクサ１６０によってそれに対して記号が経路付けされるアキュムレータ１７０（ｎ）（ｃ）を制御する形態とされている。
【００２３】
復調器１５０は、又、複数個のアキュムレータセット１７０（ｃ）を有しており、各アキュムレータセット１７０（ｃ）は物理的チャンネル（ｃ）と関連している。各アキュムレータセット１７０（１），１７０（２），１７０（Ｃ）は、その中に、多数のアキュムレータ（Ｎ）を包含している。特定のアキュムレータセット１７０（ｃ）内のＮ個のアキュムレータは、インジケータセレクタ１６６から受取った第二制御入力信号の値（ｎ）及び論理回路１５４から受取った物理的チャンネル識別（ｃ）を使用して出力マルチプレクサ１６０によってアドレスされる。従って、インジケータ１６４のうちの１つの値（ｎ）が、受信した記号をアキュムレータ１７０（ｎ）（ｃ）に対して経路付けするために物理的チャンネル識別（ｃ）と共に使用される。
【００２４】
アキュムレータセット１７０（ｃ）内のアキュムレータの記号結合処理が完了すると、供給された結合記号に関してその他の機能を実施するために、スイッチ１０８を介して復調器外部又は内部の別のコンポーネント（不図示）へ各結合された記号が供給される。例えば、第一チャンネル１１２の第一記号が全ての伝播経路（経路１１０，１２０，１３０）から第一チャンネルの第一アキュムレータ、即ちアキュムレータ１７０（１）（１）へ蓄積されると、スイッチ１８０（１）は、アキュムレータ１７０（１）（１）内の値を出力するような態様でスイッチする形態とされている。アキュムレータ１７０（１）（１）内の値はその他の機能を実施することが可能な外部／内部回路へ供給される。理解すべきことであるが、該アキュムレータが外部／内部回路へその値を供給すると、該アキュムレータ内に包含されている値は必要ではなく且つ廃棄することが可能である。
【００２５】
理解すべきことであるが、チャンネルの第一伝播経路から最初に受取った記号又は副記号が空のアキュムレータへ蓄積される。然しながら、アキュムレータがその中に情報を有している場合には、その記号は該アキュムレータ上にロードされ且つ該アキュムレータ内の前の値は上書きされる。
【００２６】
アキュムレータセット１７０内のアキュムレータの数（Ｎ）は、設計フェーズ期間中に決定することが可能であり且つ復調器１５０の動作の前にプリセットすることが可能である。従って、設計段階期間中に、例えばモデル、所望とされるサービスの品質等の幾つかのファクタに基づいて、各物理的チャンネルに対して所定のアキュムレータの数（Ｎ）が定義される。例えば、復調器１５０内のアキュムレータセット１７０内のアキュムレータの数（Ｎ）は次式によって決定される。
【００２７】
【数１】
2004007636.tif 000003
【００２８】
尚、ｔｍａｘｄｅｌａｙは受信した記号の最大伝播経路遅延であり、ｔｓｙｍｂｏｌは記号の記号期間でありｔｏｐｅｒａｎｄは記号（又は以下に説明するように副記号）の発生を必要とする時間であり、即ち積分時間であり、Ｚは整数であり、Ｎは物理的チャンネル値のアキュムレータの数、即ちアキュムレータセット１７０内のアキュムレータの数である。更に理解すべきことであるが、復調器１５０におけるアキュムレータセット１７０内においてのより多くのアキュムレータは、より多くの記号が結合されることから発生するより高い品質のサービスを保証する。
【００２９】
復調器１５０はオーバーラップして受取られる異なる記号を受信する場合があり且つこれらの異なる記号を同一のアキュムレータへ蓄積すべきではない。従って、オーバーラップする異なる記号は異なるアキュムレータへ蓄積することが必要である。このことは、図３Ａ及び３Ｂの復調器１５０を使用し且つ以下に説明する方法を使用することによって実現することが可能である。
【００３０】
次に、図４を参照すると、図３Ａ及び３Ｂの復調器の動作の例示的実施例のフローチャートが示されている。カウンタ１６２及びインジケータ１６４が最初にリセットされる（ステップ２１８）。カウンタ１６２は、通常、各チップ周期（ステップ２２０）毎に１だけインクリメントされる（ステップ２２２）。復調器１５０はステップ２２４において１個の記号又は複数個の記号を受取る場合がある。受取った記号の各々に対して、論理回路１５４によって決定が行われ、受取った記号の物理的チャンネル（ｃ）及び伝播経路（ｍ）を識別する（ステップ２２６）。説明の便宜上、以下においては１つのチャンネル（ｃ＝１）のみについて説明するが、より多くのチャンネルを使用することが可能であり且つ同一の操作が各チャンネルに対して実施されることを理解すべきである。
【００３１】
受取られた記号は論理回路１５４によって検査され且つその記号が第一チャンネル（ｃ＝１）の第一伝播経路（ｍ＝１）からの最初に受取った記号（ステップ２２８）であることの決定がなされる場合には、第一伝播経路（ｍ＝１）と関連する識別タグ（即ち、インジケータ（識別タグ））を有するインジケータ、即ちインジケータ（１）は、インクリメントされた値（ｍｏｄｕｌｏ　ｎ）＋１、即ち１からＮ（ステップ２３０）の値を有し、尚Ｎはアキュムレータセット１７０（ｃ）内のアキュムレータの数である。理解すべきことであるが、ここに説明する最初に受取った記号は第一チャンネルの第一伝播経路上の新たな記号の最初の発生である。インクリメントした第一インジケータ、即ちインジケータ（１）の値に等しい識別タグを有するカウンタ（即ち、カウンタ（識別タグ））はリセットされる（ステップ２３２）。次いで、最初に受取った記号が経路付けされ且つ第一伝播経路（ｍ＝１）と関連するインジケータの値及び受取った記号の物理的チャンネル識別（ｃ）によって定義されるアキュムレータへ蓄積される（ステップ２４０）。従って、受取った記号は第一アキュムレータ１７０（１）（ｃ）へ蓄積される。
【００３２】
ステップ２２８における記号が論理回路１５４によって第一チャンネル（ｃ＝１）の第一伝播経路（ｍ＝１）からの最初に受取った記号ではないものと決定される場合には、その受取った記号の経路遅延が決定される（ステップ２３４）。その受取った記号の経路遅延は、第一チャンネル（ｃ＝１）の第一伝播経路（ｍ＝１）からの第一記号の受取と現在の受取った記号との間のチップにおける時間差である。カウンタ１６２に対して比較が行われ、受信した記号の決定した経路遅れとマッチ即ち一致する値を有するカウンタ（ｎ）が選択される（ステップ２３６）。マッチする選択されたカウンタ１６２（カウンタ（ｎ））の識別（ＩＤ）タグ（ｎ）が、受信した記号の伝播経路（ｍ）と関連するインジケータ（インジケータ（ｍ））内にロードされる（ステップ２３８）。例えば、記号が第三伝播経路（ｍ＝３）から受取られ且つその記号の経路遅延が１０個のチップであり且つ第三カウンタ（カウンタ（３））がその中に１０の値を有している場合には、その記号の伝播経路（ｍ＝３）と関連するインジケータ（インジケータ（３））は３の値へロードされる。次いで、その受信記号は経路付けされ且つ伝播経路（ｍ）及び物理的チャンネル（ｃ）と関連するインジケータの値によって識別されるアキュムレータ、例えばアキュムレータ１７０（３）（ｃ）に蓄積される（ステップ２４０）。
【００３３】
ステップ２２４において、複数個の記号が同時的に受信即ち受取られ、同一のチップ周期期間中にその他の記号の各々に対してステップ２２６−２４０が繰返される（ステップ２４２）。理解すべきことであるが、本明細書に記載する記号結合プロセスは、シンボル（ｓｙｍｂｏｌ）即ち記号又はサブシンボル（ｓｕｂ−ｓｙｍｂｏｌ）即ち副記号に対して実施することが可能である。
【００３４】
説明の便宜上、１つのチャンネル（ｃ＝１）のみから受取った記号に対するプロセスについて上述した方法において説明したが、より多くのチャンネルを使用することが可能であることを理解すべきである。例えば、記号がステップ２２４において受取られ且つその受信した記号が第二チャンネル（ｃ＝２）の第一伝播経路（ｍ＝１）からの第一記号であることの決定がステップ２２６においてなされると、その記号はステップ２２８における第一チャンネルの第一伝播経路からの第一記号ではないとして決定され且つその記号の経路遅延が決定される。この場合における経路遅延は、第一チャンネルの第一伝播経路からの第一記号の受信と第二チャンネルの第一伝播経路からの第一記号である現在受信した記号との間のチップ単位での時間差である。Ｍ個のカウンタのうちの１つ（カウンタ（ｎ））が、その記号の決定した経路遅延とカウンタ値の間のマッチ即ち一致に基づいて選択される。カウンタ（ｎ）の識別タグが、受信した記号の伝播経路（ｍ＝１）と関連するインジケータ、即ちインジケータ（１）内にロードされる。従って、インジケータ（１）は、現在、値（ｎ）を包含している。次いで、受信した記号が経路付けされ且つ、受信した記号の伝播経路（ｍ＝１）及び受信した記号の物理的チャンネル（ｃ＝２）と関連するインジケータ内の値（ｎ）によって識別されるアキュムレータへ蓄積される。従って、その受信記号は経路付けされ且つアキュムレータ（ｎ）（ｃ）、即ちアキュムレータ（１）（２）へ蓄積される。
【００３５】
理解すべきことであるが、上述した同一の動作を異なるチャンネルを介して異なる伝播経路から受信した記号の全てに対して適用することが可能である。
【００３６】
図５Ａ及び５Ｂは本発明の例示的実施例に基づく図３Ａ及び３Ｂの復調器の動作の２つの例を示している。当業者によって理解されるようにある数のチップ（拡散係数）にわたって受信信号を積分することによってシンボル即ち記号が発生される。図５Ａの例においては、シンボル即ち記号が使用され、一方図５Ｂの例においては、拡散係数より短い長さ、この場合には拡散係数の半分にわたっての信号の積分であるサブシンボル即ち副記号が使用される。その結果、図５Ｂにおける２つの副記号は図５Ａにおける１個の記号と等価である。以下の例においては、説明の便宜上、全ての受信記号は第一チャンネル（ｃ＝１）と関連しているものと仮定する。然しながら、理解すべきことであるが、このプロセスは１個を超えるチャンネルに適用することが可能である。
【００３７】
次に、図５Ａを参照すると、図３Ａ及び３Ｂの復調器の動作の１つの例のタイミング線図が示されている。記号１１８が各記号によって形成される複数個の伝播経路から復調器１５０によって受信される。例えば、記号ｘは３つの伝播経路（経路＃１，経路＃２，経路＃３）から受信される場合がある。図５Ａに示した記号は伝播経路及び記号番号によって符号が付けてある。例えば、記号（ｐ１，ｓｘ）は、第一伝播経路（ｍ＝１）及び第一記号（記号ｘ）と関連している記号である。
【００３８】
カウンタが各１つのチップ周期によってインクリメントされる。第一伝播経路（ｐ１，ｓｘ）からの第一記号（記号ｘ）が時刻ｔ０Ａにおいて受信される（ステップ２２４）。この記号は、論理回路１５４によって、第一伝播経路（ｍ＝１）及び第一物理的チャンネル（ｃ＝１）からの第一記号であると決定される（ステップ２２６）。記号（ｐ１，ｓｘ）が第一チャンネルの第一伝播経路（ｍ＝１）からの最初に発生する記号ｘであるので（ステップ２２８）、受信記号（ｐ１，ｓｘ）の伝播経路（ｍ＝１）と関連するインジケータ（インジケータ（１））が１の値へインクリメントされ（ステップ２３０）且つインクリメントされたインジケータ（１）の値に等しい識別即ちＩＤタグを有するカウンタ、即ちカウンタ（１）がリセットされる（ステップ２３２）。理解すべきことであるが、その他のカウンタは影響されることはなくそれらの値を維持する。次いで、記号（ｐ１，ｓｘ）が受信した記号の物理的チャンネル（ｃ＝１）及びその記号の伝播経路（ｍ＝１）と関連するインジケータ、即ちインジケータ（１）の値（即ち、ｎ＝１）によって識別されるアキュムレータへ経路付けされる。従って、記号（ｐ１，ｓｘ）が経路付けされ且つアキュムレータ１７０（ｎ）（ｃ）、即ちアキュムレータ１７０（１）（１）へ蓄積される（ステップ２４０）。
【００３９】
次いで、同一の記号ｘが時刻ｔ１Ａ（ｔ０Ａよりも２個のチップの後）において第二伝播経路（ｐ２，ｓｘ）から受信される（ステップ２２４）。この記号は、論理回路１５４によって、第二伝播経路（ｍ＝２）及び第一物理的チャンネル（ｃ＝１）からのものであると決定される（ステップ２２６）。この受信記号は第一物理的チャンネル（ｃ＝１）の第一伝播経路（ｍ＝１）から受取ったものではないので、この記号（ｐ２，ｓｘ）の経路遅延が決定される、即ち２個のチップ。経路遅延は、第一チャンネルの第一伝播経路（ｐ１，ｓｘ）上の第一記号の最初の発生（時間ｔ０Ａにおいて）と記号（ｐ２，ｓｘ）（時間ｔ１Ａにおいて）との間のチップ単位での時間である。上述した如く、カウンタは各チップ周期毎に自動的にインクリメントし、従ってカウンタ（１）は２の値を有し且つカウンタ（２）は９の値を有し、従って経路遅延（この場合は、経路遅延は２）とマッチする値を包含するカウンタが選択される。記号（ｐ２，ｓｘ）は第二伝播経路（ｍ＝２）と関連しているので、伝播経路（ｍ＝２）と関連するインジケータ（インジケータ（２））がマッチング／選択したカウンタの識別タグに等しい値、即ち１でロードされ、且つその記号は伝播経路（ｍ＝２）と関連するインジケータ（インジケータ（２）＝１）の値及び受取った記号の物理的チャンネル（ｃ＝１）によって識別されるアキュムレータへ経路付けされる。この場合に、その記号が経路付けされ且つアキュムレータ１７０（１）（１）へ蓄積される。
【００４０】
時刻ｔ２Ａ（ｔ０Ａよりも数個のチップの後）において、第一伝播経路（ｐ１，ｓｙ）からの最初の発生の第二記号（記号ｙ）が受信される。この記号は第一伝播経路（ｍ＝１）及び第一物理的チャンネル（ｃ＝１）からのものであると決定される（ステップ２２６）。この受信記号（ｐ１，ｓｙ）は第一チャンネル（ｃ＝１）の第一伝播経路（ｍ＝１）からの第二記号の最初に発生したものであるので、１の値を有する受信記号の伝播経路（ｍ＝１）と関連するインジケータ（インジケータ（１））が２の値でインクリメントされ且つアップデートされたインジケータ（１）内の値に等しい識別タグを有するカウンタ、即ちカウンタ（２）がリセットされる。理解すべきことであるが、カウンタ（１）は未だに７の値を包含している。次いで、第一伝播経路（ｐ１，ｓｙ）からの第二記号が該記号の伝播経路（ｍ＝１）と関連するインジケータ、即ちインジケータ（１）内の値（ｎ＝２）及び該受信記号の物理的チャンネル（ｃ＝１）によって識別されるアキュムレータへ経路付けされる。従って、記号（ｐ１，ｓｙ）が経路付けされ且つアキュムレータ１７０（２）（１）へ蓄積される。
【００４１】
時刻ｔ３Ａ（ｔ０Ａよりも８個のチップの後）において、第三伝播経路（ｐ３，ｓｘ）からの最初の記号（記号ｘ）が受信される。記号（ｐ３，ｓｘ）の経路遅延が決定され、即ち８個のチップである。この決定された経路遅延がカウンタ（即ち、カウンタ（１）及びカウンタ（２））と比較され、且つカウンタ（１）は８の値を有しており、一方カウンタ（２）は１の値を有しているので、カウンタ（１）は経路遅延（即ち、８）とマッチすることの決定がなされる。このマッチングカウンタのタグ識別（即ち、１）が第三伝播経路（ｍ＝３）によって識別されるインジケータ（インジケータ（３））内にロードされる。次いで、この受信された記号（ｐ３，ｓｘ）が経路付けされ且つ該受信記号の物理的チャンネル（ｃ＝１）及び該受信記号の伝播経路（ｍ＝３）と関連するインジケータ内の値（ｎ＝１）によって識別されるアキュムレータ、アキュムレータ（ｎ）（ｃ）、即ちアキュムレータ１７０（１）（１）へ蓄積される。
【００４２】
時刻ｔ４Ａ（ｔ２Ａよりも２個のチップの後及びｔ０Ａよりも９個のチップの後）において第二伝播経路（ｐ２，ｓｙ）から第二記号（記号）が受けとられると、その記号の経路遅延が決定され（即ち、２個のチップ）且つカウンタの値と比較される。この場合に、カウンタ（１）は９の値を有しており且つカウンタ（２）は２の値を有しており、従って決定された経路遅延とマッチするカウンタ（２）が選択される。マッチング即ちマッチするカウンタの識別タグ（即ち、２）が第二伝播経路（ｍ＝２）によって識別されるインジケータ（インジケータ（２））内にロードされる。次いで、この記号（ｐ２，ｓｙ）が経路付けされ且つ物理的チャンネル（ｃ＝１）及び該受信記号の伝播経路（ｍ＝２）と関連するインジケータの値（ｎ＝２）によって識別されるアキュムレータ、アキュムレータ（ｎ）（ｃ）、即ちアキュムレータ１７０（２）（１）へ蓄積される。
【００４３】
時刻ｔ５Ａにおいて、２個の記号（ｐ３，ｓｙ）及び（ｐ１、ｓｚ）が同時的に受信される。これら２つの記号のうちのいずれか１つを最初に処理することが可能である。第三伝播経路（ｐ３，ｓｙ）からの受信記号（記号ｙ）の場合に、経路遅延、即ち第一チャンネルの第一伝播経路（ｐ１，ｓｙ）上での記号ｙの最初の発生（時間ｔ２Ａにおいて）と記号（ｐ３，ｓｙ）（時間ｔ５Ａにおいて）との間のチップ単位での時間が決定され、即ち８個のチップである。この決定された経路遅延がカウンタ（即ち、カウンタ（１）及びカウンタ（２））と比較され且つカウンタ（２）は８の値を有しているので、カウンタ（２）がその経路遅延値とマッチすることの決定がなされる。マッチングカウンタの識別タグ（即ち、２）が第三伝播経路（ｍ＝３）によって識別されるインジケータ（インジータ（３））内にロードされる。次いで、その受信記号（ｐ３，ｓｙ）が経路付けされ且つ該受信記号の物理的チャンネル（ｃ＝１）及び第三伝播経路と関連するインジケータ（インジケータ（３））の値（ｎ＝２）によって識別されるアキュムレータ、アキュムレータ（ｎ）（ｃ）、即ちアキュムレータ１７０（２）（１）へ蓄積される。
【００４４】
第一伝播経路（ｐ１，ｓｚ）からの記号（記号ｚ）が、記号（ｐ３，ｓｙ）が受信されたのと同一の時刻ｔ５Ａにおいて受信される。記号（ｐ１，ｓｚ）は論理回路１５４によって第一チャンネル（ｃ＝１）の第一伝播経路（ｍ＝１）からの最初に発生した記号ｚであると決定されるので、その受信記号の伝播経路（ｍ＝１）と関連するインジケータ（インジケータ（１））が１の値でインクリメントされ且つアップデートされたインジケータの値（ｎ＝１）に等しい識別タグを有するカウンタ、即ちカウンタ（１）がリセットされる。理解すべきことであるが、第一インジケータ（インジケータ（１））は１からＮまでのうちの１つの値のみを包含するような態様でインクリメントされる。従って、インジケータ（１）内の値がＮである場合には、次のインクリメントステップにおいて、その値は１となる。次いで、記号（ｐ１，ｓｚ）が、その受信記号の物理的チャンネル（ｃ）及びその受信記号の伝播経路（ｍ＝１）と関連するインジケータ、インジケータ（１）の値（ｎ＝１）によって識別されるアキュムレータへ経路付けされる。従って、記号（ｐ１，ｓｚ）が経路付けされ且つアキュムレータ（ｎ）（ｃ）、即ち第一アキュムレータ１７０（１）（１）へ蓄積される。
【００４５】
時刻ｔ６Ａ（ｔ５Ａよりも３個のチップの後）において、第二伝播経路（ｍ＝２）（ｐ２，ｓｚ）からの３番目の記号（記号ｚ）が受信される。この記号（ｐ２，ｓｚ）の経路遅延が決定され、即ち３個のチップである。この決定された経路遅延がカウンタ（即ち、カウンタ（１）及びカウンタ（２））と比較され、且つカウンタ（１）は３の値を有しており、一方カウンタ（２）は１１の値を有しているので、カウンタ（１）が経路遅延とマッチすることの決定がなされる。マッチングカウンタの識別タグ（即ち、１）が第二伝播経路（ｍ＝２）によって識別されるインジケータ（インジータ（２））内にロードされる。次いで、その受信記号（ｐ３，ｓｚ）が経路付けされ且つ該受信記号の物理的チャンネル（ｃ＝１）及び該受信記号の伝播記号（ｍ＝２）と関連するインジケータの値（ｎ＝１）によって識別されるアキュムレータ、アキュムレータ（ｎ）（ｃ）即ちアキュムレータ１７０（１）（１）へ蓄積される。
【００４６】
上に例示したものは１つのチャンネルに対する最初の３個の記号（記号ｘ，ｙ，ｚ）の受信即ち受取の場合である。記号ｘ及びｙは３つの伝播経路から受信され、一方記号ｚは２つの伝播経路からのみ受信される。然しながら、理解すべきことであるが、各記号の受信においてより多くの又はより少ない経路を使用することが可能である。理解すべきことであるが、その他の記号を受信し且つ上述したのと同一の態様で復調器１５０によって処理することが可能である。
【００４７】
図５Ｂを参照すると、図３Ａ及び３Ｂの復調器の動作の別の例のタイミング線図が示されている。以下に説明する例は、記号の代わりに副記号に対するものである点を除いて、図５Ａの例と実質的に同様である。各記号は２つの部分、即ち副記号を包含しており、例えば、記号ｘは副記号ｓｘ１及びｓｘ２を包含している。
【００４８】
第一伝播経路（ｍ＝１）からの記号ｘの第一副記号（ｐ１，ｓｘ１）が時刻ｔ０Ｂにおいて受信される。この記号は論理回路１５４によって第一伝播経路（ｍ＝１）及び第一物理的チャンネル（ｃ＝１）からの記号ｘに関連する第一副記号であると決定される（ステップ２２６）。副記号（ｐ１，ｓｘ１）は第一物理的チャンネルの第一伝播経路（ｍ＝１）からの記号ｘに関連する副記号の最初の受信であるので（ステップ２２８）、受信した副記号（ｐ１，ｓｘ１）の伝播経路（ｍ＝１）と関連するインジケータ（インジケータ（１））が１の値へインクリメントされ（ステップ２３０）且つインクリメントされたインジケータ（インジケータ（１））の値（ｎ＝１）に等しい識別タグを有するカウンタ、即ちカウンタ（１）がリセットされる（ステップ２３２）。次いで、この副記号（ｐ１，ｓｘ１）が経路付けされ且つ該受信した副記号の物理的チャンネル（ｃ＝１）及び該受信した副記号の伝播経路（ｍ＝１）と関連するインジケータ、インジケータ（１）の値によって識別されるアキュムレータへ蓄積される。従って、該記号（ｐ１，ｓｘ１）が経路付けされ且つアキュムレータ１７０（ｎ）（ｃ）、即ちアキュムレータ１７０（１）（１）へ蓄積される（ステップ２４０）。
【００４９】
次いで、第二伝播経路からの記号ｘの同一の副記号（ｐ２，ｓｘ１）が時刻ｔ１Ｂ（ｔ０Ｂよりも２個のチップの後）において受信される。この副記号は、論理回路１５４によって第二伝播経路（ｍ＝２）及び第一物理的チャンネル（ｃ＝１）からのものであると決定される（ステップ２２６）。該受信した副記号は第一物理的チャンネル（ｃ＝１）の第一伝播経路（ｍ＝１）から受信されたものではないので、該副記号（ｐ２，ｓｘ１）の経路遅延が決定される。該経路遅延は、第一伝播経路上の１つの記号に関連する第一副記号（ｐ１，ｓｘ１）（時刻ｔ０Ｂにおいて）の最初の発生と該副記号（ｐ２，ｓｘ１）（時間ｔ１Ｂにおいて）の間のチップ単位での時間である。上述した如く、カウンタは、各１つのチップ周期により自動的にインクリメントし、従ってカウンタ（１）は２の値を有し且つカウンタ（２）は８の値を有し、従って該経路遅延とマッチする値を有するカウンタ（この場合は、カウンタ（１））が選択される。副記号（ｐ２，ｓｘ１）は第二伝播経路（ｍ＝２）と関連しているので、伝播経路（ｍ＝２）と関連するインジケータ（インジケータ（２））は、マッチング即ち一致するカウンタの識別タグに等しい値、即ちカウンタ（１）でリードされ、且つ該副記号は伝播経路（ｍ＝２）と関連するインジケータ（インジケータ（２）＝１）の値及び該受信した副記号の物理的チャンネル（ｃ＝１）によって識別されるアキュムレータへ経路付けされる。この場合には、該副記号が経路付けされ且つアキュムレータ１７０（１）（１）へ蓄積される。
【００５０】
次いで、第一伝播経路（ｍ＝１）からの記号ｘの第二副記号（ｐ１，ｓｘ２）が時刻ｔ２Ｂ（ｔ０Ｂよりも５個のチップの後）において受信される。該副記号は、論理回路１５４によって第一伝播経路（ｍ＝１）及び第一物理的チャンネル（ｃ＝１）からの記号ｘの第二部分即ち第二副記号であると決定される（ステップ２２６）。該受信した副記号は第一物理的チャンネル（ｃ＝１）の第一伝播経路（ｍ＝１）から受信した最初の副記号ではないので、副記号（ｐ１，ｓｘ２）の経路遅延が決定される（即ち、５個のチップ）。上述した如く、カウンタは各１つのチップ周期により自動的にインクリメントし、従ってカウンタ（１）は５の値を有し且つカウンタ（２）は１１の値を有し、従って経路遅延とマッチする値を包含するカウンタ（この場合は、カウンタ（１））が選択される。副記号（ｐ１，ｓｘ２）は第一伝播経路（ｍ＝１）と関連しているので、伝播経路（ｍ＝１）と関連するインジケータ（インジケータ（１））は該マッチング即ち一致するカウンタの識別タグに等しい値、即ち１でロードされ、且つ該副記号は、該伝播経路（ｍ＝１）と関連するインジケータ（インジケータ（１）＝１）の値及び該受信した副記号の物理的チャンネル（ｃ＝１）によって識別されるアキュムレータへ経路付けされる。この場合には、該副記号はアキュムレータ１７０（１）（１）へ経路付けされ且つ蓄積される。
【００５１】
時刻ｔ３Ｂ（ｔ０Ｂよりも７個のチップの後）において、第二伝播経路（ｍ＝２）からの記号ｘの第二副記号（ｐ２，ｓｘ２）が受信される。この副記号は、論理回路１５４によって第二伝播経路（ｍ＝２）及び第一物理的チャンネル（ｃ＝１）からの記号ｘの２番目の部分即ち第二副記号であると決定される（ステップ２２６）。該受信した副記号は第一物理的チャンネル（ｃ＝１）の第一伝播経路（ｍ＝１）から受取った第一副記号ではないので、副記号（ｐ２，ｓｘ２）の経路遅延が決定される（即ち、７個のチップ）。上述した如く、カウンタは各１つのチップ周期だけ自動的にインクリメントし、従ってカウンタ（１）は７の値を有し、且つカウンタ（２）は１３の値を有し、従って該経路遅延とマッチする値を包含するカウンタ（この場合には、カウンタ（１））が選択される。副記号（ｐ２，ｓｘ２）は第二伝播経路（ｍ＝２）と関連しているので、第二伝播経路（ｍ＝２）と関連するインジケータ（インジケータ（２））は該マッチングする即ち一致するカウンタの識別タグに等しい値、即ち１でロードされ、且つ該副記号は該受信した副記号の物理的チャンネル（ｃ＝１）及び伝播経路（ｍ＝２）と関連するインジケータ（インジケータ（２）＝１）の値によって識別されるアキュムレータへ経路付けされる。この場合には、該副記号はアキュムレータ１７０（１）（１）へ経路付けされ且つ蓄積される。
【００５２】
時刻ｔ４Ｂ（ｔ０Ｂよりも８個のチップの後）において、第三伝播経路からの記号ｘの第一副記号（ｐ３，ｓｘ１）が受信される。該副記号は論理回路１５４によって第三伝播経路（ｍ＝３）及び第一物理的チャンネル（ｃ＝１）からの記号ｘの最初の部分即ち第一副記号であると決定される（ステップ２２６）。該受信した副記号は第一物理的チャンネル（ｃ＝１）の第一伝播経路（ｍ＝１）から受信した第一副記号ではないので、副記号（ｐ３，ｓｘ１）の経路遅延が決定される（即ち、８個のチップ）。上述した如く、該カウンタは各１つのチップ周期だけ自動的にインクリメントし、従ってカウンタ（１）は８の値を有し且つカウンタ（２）は１４の値を有し、従って該経路遅延とマッチする値を包含するカウンタ（この場合には、カウンタ（１））が選択される。副記号（ｐ３，ｓｘ１）は第三伝播経路（ｍ＝３）と関連しているので、伝播経路（ｍ＝３）と関連するインジケータ（インジケータ（３））はマッチングカウンタの識別タグに等しい値（即ち、１）でロードされ、且つ該副記号は該受信した副記号の物理的チャンネル（ｃ＝１）及び伝播経路（ｍ＝３）と関連するインジケータ（インジケータ（３）＝１）の値によって識別されるアキュムレータへ経路付けされる。この場合には、該記号はアキュムレータ１７０（１）（１）へ経路付けされ且つ蓄積される。
【００５３】
第一伝播経路（ｍ＝１）からの記号ｙの第一副記号（ｐ１，ｓｙ１）が時刻ｔ５Ｂにおいて受信される。該記号は論理回路１５４によって第一伝播経路（ｍ＝１）及び第一物理的チャンネル（ｃ＝１）からのものであると決定される（ステップ２２６）。該副記号（ｐ１，ｓｘ１）は第一チャンネルの第一伝播経路（ｍ＝１）からの記号ｙに関連する副記号の最初の受信であるので（ステップ２２８）、該受信した副記号（ｐ１，ｓｘ１）の伝播経路（ｍ＝１）と関連するインジケータ（インジケータ（１））は２の値でインクリメントされ（ステップ２３０）及びインクリメントされたインジケータ（インジケータ（１））の値（ｎ＝２）等しい識別タグを有するカウンタ、即ちカウンタ（２）がリセットされる（ステップ２３２）。次いで、該副記号（ｐ１，ｓｙ１）が、該受信した副記号の伝播経路（ｍ＝１）と関連するインジケータ（インジケータ（１））の値（ｎ＝２）及び該受信した副記号の物理的チャンネル（ｃ＝１）によって識別されるアキュムレータへ経路付けされ且つ蓄積される。従って、該副記号（ｐ１，ｓｙ１）はアキュムレータ１７０（ｎ）（ｃ）、即ちアキュムレータ１７０（２）（１）へ経路付けされ且つ蓄積される（ステップ２４０）。
【００５４】
時刻ｔ６Ｂ（ｔ５Ｂよりも２個のチップの後及びｔ０Ｂよりも１１個のチップの後）において、２個の副記号、即ち第三伝播経路からの記号ｘの第二副記号（ｐ３，ｓｘ２）及び第二伝播経路からの記号ｙの第一副記号（ｐ２，ｓｙ１）が同時的に受信される。この場合には、これら２つの副記号のうちのいずれか１つを最初に処理することが可能である。副記号（ｐ２，ｓｙ１）の場合には、該記号は、第一物理的チャンネル（ｃ＝１）の第一伝播経路（ｍ＝１）から受取った記号ｙに関連する第一副記号ではなく、従って該副記号（ｐ２，ｓｙ１）の経路遅延が決定され、即ち２個のチップである。この場合における経路遅延は、第一伝播経路上の記号ｙに関する第一副記号（ｐ１，ｓｙ１）の最初の発生（時間ｔ５Ｂにおいて）及び該副記号（ｐ２，ｓｙ１）（時間ｔ６Ｂにおいて）の間のチップ単位での時間である。上述した如く、カウンタは各１つのチップ周期だけ自動的にインクリメントし、従ってカウンタ（１）は１３の値を有し且つカウンタ（２）は２の値を有し、従って、該経路遅延とマッチする値を包含するカウンタ（この場合は、カウンタ（２））が選択される。副記号（ｐ２，ｓｙ１）は第二伝播経路（ｍ＝２）と関連しているので、該伝播経路（ｍ＝２）と関連するインジケータ（インジケータ（２））は該マッチングするカウンタの識別タグに等しい値、即ち２でロードされ、且つ該記号は、該受信した副記号の物理的チャンネル（ｃ＝１）及び該伝播経路（ｍ＝２）と関連するインジケータ（インジケータ（２）＝２）の値によって識別されるアキュムレータへ経路付けされる。この場合には、該記号はアキュムレータ１７０（ｎ）（ｃ）、即ちアキュムレータ１７０（２）（１）へ経路付けされ且つ蓄積される。
【００５５】
同一のチップ周期において且つ該カウンタが同一の値にある間に、該副記号（ｐ３，ｓｘ２）が処理される。この副記号は、第一物理的チャンネル（ｃ＝１）の第一伝播経路（ｍ＝１）から受取った記号ｘに関連する第一副記号ではないと決定され、従って該副記号（ｐ３，ｓｘ２）の経路遅延が決定され、即ち１３個のチップである。この場合には、該経路遅延は、第一伝播経路上の記号ｘに関連する第一副記号（ｐ１，ｓｘ１）の最初の発生（時間ｔ０Ｂにおいて）及び副記号（ｐ３，ｓｘ２）（時間ｔ６Ｂにおいて）の間のチップ単位での時間である。カウンタ（１）は、未だに、１３の値を包含しており且つカウンタ（２）は２の値を包含しており、従って、該経路遅延とマッチする値を包含するカウンタ（この場合には、カウンタ（１））が選択される。該副記号（ｐ３，ｓｘ２）は第三伝播経路（ｍ＝３）と関連しているので、該伝播経路（ｍ＝３）と関連するインジケータ（インジケータ（３））は該マッチング即ち一致するカウンタの識別タグに等しい値、即ち１がロードされ、且つ該副記号は該受信した副記号の物理的チャンネル（ｃ＝１）及び伝播経路（ｍ＝３）と関連するインジケータ（インジケータ（３）＝１）の値によって識別されるアキュムレータへ経路付けされる。この場合には、該副記号はアキュムレータ１７０（ｎ）（ｃ）、即ちアキュムレータ１７０（１）（１）へ経路付けされ且つ蓄積される。
【００５６】
次いで、第一伝播経路（ｍ＝１）からの記号ｙの第二副記号（ｐ１，ｓｙ２）が時刻ｔ７Ｂ（ｔ５Ｂよりも５個のチップの後）において受信される。該副記号は、論理回路１５４によって第一物理的チャンネル（ｃ＝１）及び第一伝播経路（ｍ＝１）からの記号ｙの第二の部分即ち第二副記号であると決定される（ステップ２２６）。該受信した副記号は第一物理的チャンネル（ｃ＝１）の第一伝播経路（ｍ＝１）から受信した第一副記号ではないので、該副記号（ｐ１，ｓｙ２）の経路遅延が決定される（即ち、５個のチップ）。上述した如く、該カウンタは、各１つのチップ周期（期間）だけ自動的にインクリメントし、従ってカウンタ（１）は１６の値を有し且つカウンタ（２）は５個の値を有し、従って、該経路遅延とマッチする値を包含するカウンタ（この場合には、カウンタ（２））が選択される。該副記号（ｐ１，ｓｙ２）は第一伝播経路（ｍ＝１）と関連しているので、該伝播経路（ｍ＝１）と関連するインジケータ（インジケータ（１））は該マッチングするカウンタの識別タグに等しい値、即ち２でロードされ、且つ該副記号は該受信した副記号の物理的チャンネル（ｃ＝１）及び該伝播経路（ｍ＝１）と関連するインジケータ（インジケータ（１）＝２）の値によって識別されるアキュムレータへ経路付けされる。この場合には、該副記号はアキュムレータ１７０（ｎ）（ｃ）、即ちアキュムレータ１７０（２）（１）へ経路付けされ且つ蓄積される。
【００５７】
時刻ｔ８Ｂ（ｔ５Ｂよりも７個のチップの後）において、第二伝播経路（ｍ＝２）からの記号ｙの第二副記号（ｐ２，ｓｙ２）が受信される。該記号は、論理回路１５４によって、第一物理的チャンネル（ｃ＝１）の第二伝播経路（ｍ＝２）からの記号ｙの第二の部分即ち第二副記号であると決定される（ステップ２２６）。該受信した副記号は第一物理的チャンネル（ｃ＝１）の第一伝播経路（ｍ＝１）から受信した第一副記号ではないので、該副記号（ｐ２，ｓｙ２）の経路遅延が決定される（即ち、７個のチップ）。上述した如く、該カウンタは、各１つのチップ周期だけ自動的にインクリメントし、従ってカウンタ（１）は１８の値を有し且つカウンタ（２）は７の値を有し、従って該経路遅延とマッチする値を包含するカウンタ（この場合は、カウンタ（２））が選択される。該副記号（ｐ２，ｓｙ２）は第二伝播経路（ｍ＝２）と関連しているので、第二伝播経路（ｍ＝２）と関連するインジケータ（インジケータ（２））はマッチングするカウンタの識別タグに等しい値、即ち２でロードされ、且つ該副記号は、該受信した副記号の物理的チャンネル（ｃ＝１）及び伝播経路（ｍ＝２）と関連するインジケータ（インジケータ（２）＝２）の値によって識別されるアキュムレータへ経路付けされる。この場合には、該副記号はアキュムレータ１７０（ｎ）（ｃ）、即ちアキュムレータ１７０（２）（１）へ経路付けされ且つ蓄積される。
【００５８】
時刻ｔ９Ｂ（ｔ５Ｂよりも８個のチップの後）において、第三伝播経路からの記号ｙの第一副記号（ｐ３，ｓｙ１）が受信される。該副記号は、論理回路１５４によって、第一物理的チャンネル（ｃ＝１）及び第三伝播経路（ｍ＝３）からの記号ｘの第一部分即ち第一副記号であると決定される（ステップ２２６）。該受信した副記号は第一物理的チャンネル（ｃ＝１）の第一伝播経路（ｍ＝１）から受信した第一副記号ではないので、該副記号（ｐ３，ｓｙ１）の経路遅延が決定される（即ち、８個のチップ）。上述した如く、該カウンタは各１つのチップ周期だけ自動的にインクリメントし、従ってカウンタ（１）は１９の値を有し且つカウンタ（２）は８の値を有し、従って、該経路遅延とマッチする値を包含するカウンタ（この場合は、カウンタ（２））が選択される。該副記号（ｐ３，ｓｙ１）は第三伝播経路（ｍ＝３）と関連しているので、該伝播経路（ｍ＝３）と関連するインジケータ（インジケータ（３））は該マッチングするカウンタの識別タグに等しい値、即ち２でロードされ、且つ該副記号は、該受信した副記号の物理的チャンネル（ｃ＝１）及び該伝播経路（ｍ＝３）と関連するインジケータ（インジケータ（３）＝２）の値によって識別されるアキュムレータへ経路付けされる。この場合には、該副記号はアキュムレータ１７０（ｎ）（ｃ）、即ちアキュムレータ１７０（２）（１）へ経路付けされ且つ蓄積される。
【００５９】
時刻ｔ１０Ｂ（ｔ５Ｂよりも１３個のチップの後）において、第三伝播経路からの記号ｙの第二副記号（ｐ３，ｓｙ２）が受信される。該副記号は、論理回路１５４によって、第一物理的チャンネル（ｃ＝１）及び第三伝播経路（ｍ＝３）からの記号ｙの第二部分即ち第二副記号であると決定される（ステップ２２６）。該受信した副記号は第一物理的チャンネル（ｃ＝１）の第一伝播経路（ｍ＝１）から受信した第一副記号ではないので、該副記号（ｐ３，ｓｙ２）の経路遅延が決定される（即ち、１３個のチップ）。上述した如く、該カウンタは、各１つのチップ周期だけ自動的にインクリメントし、従ってカウンタ（１）は２４の値を有し且つカウンタ（２）は１３の値を有し、従って、該経路遅延とマッチする値を包含するカウンタ（この場合は、カウンタ（２））が選択される。該副記号（ｐ３，ｓｙ２）は第三伝播経路（ｍ＝３）と関連しているので、該伝播経路（ｍ＝３）と関連するインジケータ（インジケータ（３））は該マッチングするカウンタの識別タグに等しい値、即ち２でロードされ、且つ該副記号は、該受信した副記号の物理的チャンネル（ｃ＝１）及び該伝播経路（ｍ＝３）と関連するインジケータ（インジケータ（３）＝２）の値によって識別されるアキュムレータへ経路付けされる。この場合には、該副記号はアキュムレータ１７０（ｎ）（ｃ）、即ち、アキュムレータ１７０（２）（１）へ経路付けされ且つ蓄積される。
【００６０】
図６Ａ及び６Ｂは、図５Ａ及び５Ｂの記号／副記号の受信に対しての図３Ａ及び３Ｂの復調器の動作に対するタイミング線図を夫々例示している。図５Ａ及び５Ｂに示したシステムの動作及び記号／副記号の受信のタイミングは、図６Ａ及び６Ｂに示した動作及びタイミングとマッチしており、且つ各図に関連する説明は割愛する。次に、図６Ａを参照すると、３個の伝播経路を介してチャンネルＣから受信した記号の図５Ａの例が示されている。記号ｘはこれら３個の伝播経路から受信され且つ記号ｘの全ての発生は矢印で示したようにアキュムレータ１７０（１）（ｃ）へ経路付けされ且つ蓄積される。図６Ａにおける矢印は、与えられた物理的チャンネル（チャンネルｃ）に対して同一のアキュムレータへ記号が蓄積される順番を示している。例えば、図５Ａを参照して説明したように、記号（ｐ１，ｓｘ），（ｐ２，ｓｘ），（ｐ３，ｓｘ）は、全て、それらが受信される順番でアキュムレータ１７０（１）（ｃ）へ経路付けされ且つ蓄積される。更に、記号（ｐ１，ｓｙ），（ｐ２，ｓｙ），（ｐ３，ｓｙ）は、全て、アキュムレータ１７０（２）（ｃ）へ経路付けされ且つ蓄積される。記号（ｐ１，ｓｚ）及び（ｐ２，ｓｚ）は同一の第一アキュムレータ１７０（１）（ｃ）へ経路付けされ且つ蓄積される。何故ならば、該アキュムレータは、既に、記号ｘに関連する記号の蓄積を終了しており且つスイッチ１８０を介して記号ｘの結合結果を供給しており、従って、付加的な記号を処理する準備がなされているからである。理解すべきことであるが、上述したような記号結合処理は、異なる記号（例えば、記号ｘ，ｙ，ｚ）に関連するオーバーラップする記号は別個のアキュムレータに蓄積されることを確保する。例えば、第一アキュムレータが未だに記号ｘに関連する記号を処理している間に、第一伝播経路（ｐ１，ｓｙ）からの記号ｙに関連する第二記号が受信され、従って記号（ｐ１，ｓｙ）は第一アキュムレータ１７０（１）（ｃ）によって処理することは不可能であるが、その代わりに、第二アキュムレータ１７０（２）（ｃ）へ蓄積される。従って、この例においては、各チャンネルが所望の信号品質で記号結合を達成するためには少なくとも２つのアキュムレータが必要とされる。理解すべきことであるが、より多くの又はより少ない数のアキュムレータが存在することが可能であり、そのうちの幾つかが記号結合処理において使用されるに過ぎない。
【００６１】
次に、図６Ｂを参照すると、３個の伝播経路を介してチャンネルｃから受信した副記号の図５Ｂの例が示されている。該３個の伝播経路から６個の副記号が受信され且つこれらは全て記号ｘに関連している。該副記号は、全て、矢印によって示したように、アキュムレータ１７０（１）（ｃ）へ経路付けされ且つ蓄積される。図６Ｂにおける矢印は、該副記号が与えられた物理的チャンネル（チャンネルｃ）に対して結合される順番を示している。例えば、図５Ｂを参照して説明したように、副記号（ｐ１，ｓｘ１），（ｐ２，ｓｘ１），（ｐ１，ｓｘ２），（ｐ２，ｓｘ２），（ｐ３，ｓｘ１），（ｐ３，ｓｘ２）は、全て、それらが受信された順番でアキュムレータ１７０（１）（ｃ）へ経路付けされ且つ蓄積される。更に、副記号（ｐ１，ｓｙ１），（ｐ２，ｓｙ１），（ｐ１，ｓｙ２），（ｐ２，ｓｙ２），（ｐ３，ｓｙ１），（ｐ３，ｓｙ２）は、全て、アキュムレータ１７０（２）（ｃ）へ経路付けされ且つ蓄積される。理解すべきことであるが、上述した如く、副記号結合処理は、異なる記号（例えば、記号ｘ及びｙ）に関連するオーバーラップする副記号が別々のアキュムレータに蓄積されることを確保する。例えば、第一伝播経路からの記号ｙに関連する第一副記号（ｐ１，ｓｙ１）は、第一アキュムレータ１７０（１）（ｃ）が未だに記号ｘに関連する副記号を処理している間に受信され、従って副記号（ｐ１，ｓｙ１）は第一アキュムレータ１７０（１）（ｃ）によって処理することは不可能であるが、その代わりに、第二アキュムレータ１７０（２）（ｃ）へ蓄積される。然しながら、次に受信される記号ｚに関連する副記号は同一の第一アキュムレータ１７０（１）（ｃ）へ経路付けされ且つ蓄積される。何故ならば、該アキュムレータはスイッチ１８０を介して記号ｘの結合結果を供給しており、従って、記号ｚに関連する副記号を処理する準備がなされているからである。
【００６２】
理解すべきことであるが、複数個のチャンネルを使用することが可能である。上述した例においては、各チャンネルが許容可能な結合信号品質を達成するためには少なくとも２つのアキュムレータが存在すべきである。然しながら、より多くのアキュムレータはある品質のサービスを保証するものである。
【００６３】
本発明の例示的実施例は、記号又は副記号のチャンネル識別及びインジケータの値に基づいて、受信した記号又は副記号を適切なアキュムレータへ経路付けさせ且つ蓄積させることを可能とする。記号の経路付けにおいて使用されるインジケータは、該記号又は副記号の伝播経路によって識別される。
【００６４】
上述した如く、本復調器は受信した記号を格納するために何等バッファを必要とするものではない。このことは、本システムが、電力消費を減少させることを可能とする。何故ならば、バッファは復調器におけるその他のコンポーネントよりもより多くの電力を消費するからである。注意すべきことであるが、本発明の復調器内のアキュムレータの数は従来の復調器よりも多い場合があるかもしれないが、動作数は不変のままである。その結果、より多くのアキュムレータが使用される場合であってもアキュムレータにおける電力消費が増加することはない。
【００６５】
以上、本発明の具体的実施の態様について詳細に説明したが、本発明は、これら具体例にのみ制限されるべきものではなく、本発明の技術的範囲を逸脱することなしに種々の変形が可能であることは勿論である。
【図面の簡単な説明】
【図１】ワイヤレス通信ネットワークにおける信号の多数の伝播状態を示した概略図。
【図２】結合処理においてバッファを使用する従来の復調器を示した概略ブロック図。
【図３Ａ】本発明の１実施例に基づく復調器の一部を示した概略ブロック図。
【図３Ｂ】本発明の１実施例に基づく復調器の一部を示した概略ブロック図。
【図４】図３Ａ及び３Ｂの復調器の動作の例示的実施例を示したフローチャート。
【図５Ａ】マルチパス伝播信号からの記号の受信に対する図３Ａ及び３Ｂの復調器の動作の一部を示したタイミング線図。
【図５Ｂ】マルチパス伝播信号からの記号の受信に対する図３Ａ及び３Ｂの復調器の動作の一部を示したタイミング線図。
【図６Ａ】図５Ａ及び５Ｂの記号の受信及び蓄積に対する一部を示したタイミング線図。
【図６Ｂ】図５Ａ及び５Ｂの記号の受信及び蓄積に対する一部を示したタイミング線図。
【符号の説明】
１００　システム
１１０，１２０，１３０　伝播経路
１１２，１１４，１１６　物理的チャンネル
１５０　復調器
１５４　論理回路
１６０　出力マルチプレクサ
１６２　カウンタ
１６４　インジケータ
１６６　インジケータセレクタ
１７０　アキュムレータセット
【図１】
2004007636.tif 000004
【図２】
2004007636.tif 000005
【図３Ａ】
2004007636.tif 000006
【図３Ｂ】
2004007636.tif 000007
【図４】
2004007636.tif 000008
【図５Ａ】
2004007636.tif 000009
【図５Ｂ】
2004007636.tif 000010
【図６Ａ】
2004007636.tif 000011
【図６Ｂ】
2004007636.tif 000012